(57)【要約】【課題】スイッチギヤの筐体の寸法を大きくすることなく、しかも点検や配線等の作業性に優れたスイッチギヤを提供する。【解決手段】スッチギヤ１の筐体１００に、主母線室３０と遮断器室２０との間に位置しほぼ垂直をなす第１の壁体１０１と、主母線室３０の内部空間を介して第１の壁体１０１に対向する第２の壁体１０２と、主母線室とケーブル室４０との間に位置し第２の壁体側から第１の壁体側へ下方に傾斜して延びる傾斜部１０３１を有する第３の壁体１０３とを設け、複数相の主母線のうち少なくとも一つの相の主母線３０１を第１の壁体にほぼ水平方向に延伸するよう固定し、他の相の主母線３０２、３０３を第２の壁体にほぼ水平方向に延伸するよう固定した。
2008087752.tif 000002
【特許請求の範囲】
【請求項１】
電源に接続される複数相の主母線を収納する主母線室と、負荷に接続されるケーブルを収納するケーブル室と、前記主母線と前記ケーブルとの間に電気的に接続され前記電源から前記負荷への電路を開閉する遮断器を収納する遮断器室とを備えた筐体を有するスイッチギヤであって、前記筐体は、前記主母線室と前記遮断器室との間に位置しほぼ垂直をなす第１の壁体と、前記主母線室の内部空間を介して前記第１の壁体に対向する第２の壁体と、前記主母線室と前記ケーブル室との間に位置し前記第２の壁体側から前記第１の壁体側へ下方に傾斜して延びる傾斜部を有する第３の壁体とを備え、前記複数相の主母線のうち少なくとも一つの相の主母線は前記第１の壁体にほぼ水平方向に延伸するよう固定され、他の相の主母線は前記第２の壁体にほぼ水平方向に延伸するよう固定されたことを特徴とするスイッチギヤ。
【請求項２】
前記ケーブルと前記遮断器との接続は、前記第３の壁体の傾斜部に対してほぼ平行に延伸する傾斜延伸部を有する接続導体を介して行なわれることを特徴とする請求項１に記載のスイッチギヤ。
【請求項３】
前記第１の壁体に固定された主母線のうちの少なくとも一つの相の主母線と、前記第２の壁体に固定された主母線のうちの少なくとも一つの相の主母線とが、前記母線室の内部空間を介して水平方向に少なくとも一部分が重なるように対向して配置されたことを特徴とする請求項１に記載のスイッチギヤ。
【請求項４】
前記遮断器は、引出型遮断器であって、前記第１の壁体側に挿入されたとき前記複数相の主母線と前記ケーブルとに接続され、前記第１の壁体側から引出されたとき前記接続が解かれることを特徴とする請求項１乃至３のいずれかに記載のスイッチギヤ。
【発明の詳細な説明】
【技術分野】
【０００１】
この発明は、遮断器を筐体内に収納したスイッチギヤに関するものである。
【背景技術】
【０００２】
従来のこの種のスイッチギヤは、遮断器を収納する遮断器室と、この遮断器室の後方に配置され負荷に接続されるケーブルを収納するケーブル室と、このケーブル室の上方に配置され電源に接続される主母線を収納する主母線室とを備え、これらの室は仕切板により区画されている。主母線室内に収納された三相の夫々の母線は、同一の仕切板の側面に垂直方向に間隔を介して水平方向に平行に配設されている。遮断器とケーブル室に収納されたケーブルとの接続は負荷側接続導体により行なわれるが、この分岐導体は、遮断器の下方に設けられている負荷側端子との接続位置から遮断器の後方へ延伸し、更にケーブルとの接続距離を確保するために一旦上方に延伸した後にケーブルに接続されている（例えば、特許文献１参照）。【０００３】
【特許文献１】特開２００４−３５０４４２号公報
【発明の開示】
【発明が解決しようとする課題】
【０００４】
以上のように構成された従来のスイッチギヤは、夫々の相の主母線を垂直方向の間隔を介して水平方向に平行に配置しているため、主母線を収納する主母線室はその主母線の配置のための垂直方向の所定の寸法が必要である。従って、スイッチギヤの筐体の垂直方向の寸法を抑えるためには、主母線の下方に配置される遮断器は、筐体の床面付近に設置しなければならず、遮断器室の裏側に位置するケーブル室内の点検や配線等の作業を行うには、筐体の床面から遮断器を一旦筐体外へ搬出してもケーブル室へアクセスできないため、筐体後面のカバーを外して筐体の後面から行う必要があり、手数を要する。又、点検等の作業性を考慮して遮断器を筐体の中段付近に設置すれば、筐体の垂直方向の寸法が大きくなる等の課題を有する。【０００５】
この発明は、従来のスイッチギヤに於ける上記のような課題を解決するために成されたもので、スイッチギヤの筐体の寸法を大きくすることなく、しかも点検や配線等の作業性に優れたスイッチギヤを提供することを目的とする。
【課題を解決するための手段】
【０００６】
この発明によるスイッチギヤは、電源に接続される複数相の主母線を収納する主母線室と、負荷に接続されるケーブルを収納するケーブル室と、前記主母線と前記ケーブルとの間に電気的に接続され前記電源から前記負荷への電路を開閉する遮断器を収納する遮断器室とを備えた筐体を有するスイッチギヤであって、前記筐体は、前記主母線室と前記遮断器室との間に位置しほぼ垂直をなす第１の壁体と、前記主母線室の内部空間を介して前記第１の壁体に対向する第２の壁体と、前記主母線室と前記ケーブル室との間に位置し前記第２の壁体側から前記第１の壁体側へ下方に傾斜して延びる傾斜部を有する第３の壁体とを備え、前記複数相の主母線のうち少なくとも一つの相の主母線は前記第１の壁体にほぼ水平方向に延伸するよう固定され、他の相の主母線は前記第２の壁体にほぼ水平方向に延伸するよう固定されたものである。
【発明の効果】
【０００７】
この発明によるスイッチギヤによれば、スイッチギヤの筐体は、主母線室と遮断器室との間に位置しほぼ垂直をなす第１の壁体と、主母線室の内部空間を介して第１の壁体に対向する第２の壁体と、主母線室とケーブル室との間に位置し第２の壁体側から第１の壁体側へ下方に傾斜して延びる傾斜部を有する第３の壁体とを備え、複数相の主母線のうち少なくとも一つの相の主母線は第１の壁体にほぼ水平方向に延伸するよう固定され、他の相の主母線は第２の壁体にほぼ水平方向に延伸するよう固定されているので、第１の壁体に固定された主母線のうちの少なくとも一つの相の主母線と、第２の壁体に固定された主母線のうちの少なくとも一つの相の主母線とを、水平方向に少なくとも一部分が重なるように対向して配置することができ、スイッチギヤの筐体の垂直方向の寸法を大きくすることなく、筐体内のスペースを大きくすることができ点検や配線等の作業性に優れたスイッチギヤを得ることができる。
【図面の簡単な説明】
【０００８】
【図１】この発明の実施の形態１によるスイッチギヤの断面図である。
【図２】この発明の実施の形態１によるスイッチギヤの主母線の配置を説明するための説明図である。
【図３】この発明の実施の形態１によるスイッチギヤの、主母線室及びその近傍を説明するための説明図である。
【図４】この発明の実施の形態１によるスイッチギヤの、ケーブル室及びその近傍を説明するための説明図である。
【発明を実施するための最良の形態】
【０００９】
実施の形態１．
図１は、この発明の実施の形態１によるスイッチギヤの断面図、図２は、この発明の実施の形態１によるスイッチギヤの主母線の配置を説明するための説明図、図３は、この発明の実施の形態１によるスイッチギヤの主母線室及びその近傍を説明するための説明図、図４は、この発明の実施の形態１によるスイッチギヤのケーブル室及びその近傍を説明するための説明図である。【００１０】
図１乃至図４に於いて、スイッチギヤ１は、金属製のほぼ箱形の筐体１００を備え、この筐体１００の内部には、引出形遮断器２０２を収納する遮断器室２０と、三相電源に接続される第１相の主母線３０１、第２相の主母線３０２、第３相の主母線３０３を収納する主母線室３０と、負荷に接続される第１相のケーブル４０３、第２相のケーブル４０４、第３相のケーブル４０５を収納するケーブル室４０と、図示しない保護リレー、メータ等を収納する制御室５０が設けられている。遮断器室２０、ケーブル室４０、制御室５０の前面部には、夫々開閉可能な遮断器室扉２０１、ケーブル室扉４０１、及び制御室扉５０１が設けられている。【００１１】
遮断器室２０は、ほぼ垂直な壁面を有する金属製の仕切板１０１、１０４により主母線室３０及びケーブル室４０から仕切られている。又、遮断器室２０は、筐体１００の垂直方向のほぼ中段部に引出形遮断器２０２を支持する遮断器支持体２０５を備えている。この遮断器支持体２０５は、遮断器室２０とケーブル室４０との仕切りを兼ねている。【００１２】
遮断器室２０に収納された引出形遮断器２０２は、複数の車輪２０３、２０４を介して遮断器支持体２０５の上に設置されている。引出形遮断器２０２は、三相各極の電源側端子（図１に１極分のみを表示）２０７と、三相各極の負荷側端子（図１に１極分のみを表示）２０８を備え、これらの端子２０７、２０８間に三相各極の真空スイッチ（図示せず）が直列に接続される。【００１３】
仕切板１０２には、引出形遮断器２０２の三相各極の電源側端子２０７に対向する位置に、夫々ブッシング（図１に１相分のみを表示）２０１３を介して電源側固定端子（図１に１相分のみを表示）２０１１が固定され、又、引出形遮断器２０２の三相各極の負荷側端子２０８に対向する位置に、夫々ブッシング（図１に１相分のみを表示）２０１４を介して負荷側固定端子（図１に１相分のみを表示）２０１２が固定されている。【００１４】
引出形遮断器２０２は、図示しないハンドルによりスクリュー２０６を回動させることにより、引出形遮断器２０２を図１に示す状態から左方向に移動させ、電源側端子２０７及び負荷側端子２０８を、電源側固定端子２０１１及び負荷側固定端子２０１２から引外すことができる。又、引出された状態の引出形遮断器２０２を、スクリュー２０６を前記とは逆方向に回動させることにより、図の右方向に移動させ、電源側端子２０７及び負荷側端子２０８を、夫々対応する電源側固定端子２０１４及び負荷側固定端子２０１２に接続することができる。【００１５】
各相の電源側固定端子２０１１に対応して設けられた各相の電源側シャッター２０９、及び各相の負荷側固定端子２０１２に対応して設けられた各相の負荷側シャッター２１０は、引出形遮断器２０２が図の左方に引出されたとき、夫々のブッシング２０１３、２０１４の開口部を閉塞し、各相の電源側固定端子２０１１、及び負荷側固定端子２０１２が遮断器室２０内に露出しないように遮蔽する。電源側シャッター２０９、及び負荷側シャッター２１０は、夫々、三相分の端子を一括して遮蔽するように三相分一体に形成された遮蔽板により構成されている。【００１６】
主母線室３０に収納された三相の主母線３０１、３０２、３０３は、夫々平角導体により構成され、これらの主母線のうち、第１相の主母線３０１は、仕切板１０１の壁面に碍子３０４を介して水平方向に延伸するよう固定されている。又、第２相の主母線３０２及び第３相の主母線３０３は、主母線室３０とケーブル室４０とを仕切るほぼ垂直な壁面を有する金属製の仕切板１０２の壁面に、碍子３０５及び３０６を介して夫々水平方向に延伸するよう固定されており、第３相の主母線３０３は、第２相の主母線３０２に対して垂直方向に所定の間隔を隔てて下方に配設されている。仕切板１０１に固定されている第１相の主母線３０１と仕切板１０２に固定されている第２相の主母線３０２とは、主母線室３０内の空間を介して対向し且つ垂直方向の同一位置に固定されているので、水平方向に互いに重なる配置とされている。【００１７】
又、主母線室３０内には、各相の主母線３０１、３０２、３０３とこれに対応する各相の電源側固定端子２０１１とを夫々接続する平角導体からなる電源側接続導体３０１１、３０２１、３０３１が収納されている。これらの電源側接続導体３０１１、３０２１、３０３１は、碍子（図１に１相分のみを表示）３０７を介して仕切板１０１に固定されている。【００１８】
金属製の仕切板１０３は、主母線室３０とケーブル室４０との間に設けられ、一端が仕切板１０２に連結されており、仕切板１０２側から仕切板１０１、１０４側へ下方に傾斜して延びる傾斜部１０３１を備えている。仕切板１０３の他端側は、仕切板１０４に連結されている。尚、仕切板１０２と１０３とは、一体の金属板により構成してもよい。【００１９】
この発明の実施の形態１に於いて、仕切板１０１は第１の壁体を構成し、仕切板１０２は第２の壁体を構成し、仕切板１０３は第３の壁体を構成している。【００２０】
ケーブル室４０に収納された三相の各相のケーブル４０３、４０４、４０５は、図示しない負荷に接続され、スイッチギヤの筐体１００の床面４１１に設けられた貫通穴からケーブル室４０内に導入され、ケーブル支持体（図１に１相分のみを表示）４０９により支持されている。これらの各相のケーブル４０３、４０４、４０５は、ケーブル端子（図１に１相分のみを表示）４０６を介して平角導体により構成された各相の負荷側接続導体４８１、４８２、４８３に夫々接続されている。又、各相の負荷側接続導体４８１、４８２、４８３は、対応する相の負荷側固定端子２０１２に夫々接続されている。【００２１】
各相の負荷側接続導体４８１、４８２、４８３は、碍子４７１、４７２、４７３により筐体１００の内壁に固定され、垂直方向に延伸する垂直延伸部４８１１、４８２１、４８３１と、仕切板１０３の傾斜部１０３１にほぼ平行に延伸する傾斜延伸部（図１に１相分のみを図示）４８３２とを備えている。【００２２】
各相のＣＴ（計器用変流器）４９１、４９２、４９３は、負荷側接続導体４８１、４８２、４８３の垂直延伸部４８１１、４８２１、４８３１により貫通されている。接地スイッチ（図１に１相分のみを表示）４１０は、負荷側接続導体４８１、４８２、４８３に夫々接続されており、スイッチギヤ１の点検等の作業のために引出形遮断器２０２を図の左方へ引出したときに、安全のために負荷側接続導体４８１、４８２、４８３等を接地するものである。【００２３】
遮断器室２０が筐体１００の垂直方向の中段より上方に設けられているので、作業員がケーブル室扉４０１を開き、内部カバー４０２を外すことにより、ケーブル室４０内の作業を行うことができる。【００２４】
以上のように構成されたこの発明の実施の形態１によるスイッチギヤ１は、制御室５０内に収納されている制御装置により、引出形遮断器２０２に内蔵された真空スイッチの開閉を行い、主母線３０１、３０２、３０３からケーブル４０３、４０４、４０５を介して負荷に供給する電力の開閉制御を行う。又、スイッチギヤ１の筐体１００に収納されている機器の保守、点検、或いは故障の修理等の作業を行う場合は、作業に必要な制御室扉５０１、遮断器室扉２０１、ケーブル室扉４０１の何れか、若しくは全てを開き、その室内に収納されている機器に対する作業を実施する。【００２５】
ケーブル室４０内で作業を行う場合は、先ず、引出形遮断器２０２をスクリュー２０６を回動させることにより図１の左方へ引出し、引出形遮断器２０２の電源側端子２０７と負荷側端子２０８を、電源側固定端子２０１１と負荷側固定端子２０１２から引外し、主母線３０１、３０２、３０３とケーブル４０３、４０４、４０５との接続を遮断する。又、これと併せて接地スイッチ４１０を投入し、ケーブル４０３、４０４、４０５、及び負荷側接続導体４８１、４８２、４８３等を接地する。次に、この状態でケーブル室４０内に於いて、その内部における必要な作業を実施する。【００２６】
以上述べたこの発明の実施の形態１によるスイッチギヤによれば、第１の壁体である仕切板１０１に固定された主母線３０１と、第２の壁体である仕切板１０２に固定された主母線３０２とを、水平方向に重なるように対向して配置しているので、スイッチギヤ１の筐体１００の垂直方向の寸法を大きくすることなく、引出形遮断器２０２を筐体１００の垂直方向の中段部に配置することができ、従って筐体１００の前面側からケーブル室４０の床面４１１を介して、ケーブル室４０内のケーブル、その他の機器に対する必要な作業を行うことができ、作業性に優れたスイッチギヤを得ることができる。【００２７】
又、仮に、仕切板１０３に傾斜部１０３１が設けられていないとすれば、ケーブル室４０の上部空間が仕切板１０３の垂直壁及び水平壁により大きく遮られることとなり、ケーブル室４０のスペースが狭くなるが、この発明の実施の形態１によれば、仕切板１０３に、仕切板１０２側から仕切板１０１、１０４側へ下方に傾斜して延びる傾斜部１０３１を設けているので、ケーブル室４０の上部空間が広くなり、ケーブル４０３、４０４、４０５と引出形遮断器２０２との接続を、仕切板１０３の傾斜部１０３１とほぼ平行に延伸する傾斜延伸部４８３２を有する接続導体を介して行なうことができ、その結果、ケーブル室４０の奥行き、即ち筐体１００の前後方向の寸法も小さくすることが可能となり、スイッチギヤ１の小型化が可能となる。
【産業上の利用可能性】
【００２８】
この発明のスイッチギヤは、重電分野等に於いて、電力系統に接続された主母線から負荷への電力の供給を開閉制御する遮断器を備えたスイッチギヤとして利用される。
【図１】
2008087752.tif 000003
【図２】
2008087752.tif 000004
【図３】
2008087752.tif 000005
【図４】
2008087752.tif 000006
【手続補正書】
【提出日】平成21年7月9日(2009.7.9)
【手続補正１】
【補正対象書類名】特許請求の範囲
【補正対象項目名】全文
【補正方法】変更
【補正の内容】
【特許請求の範囲】
【請求項１】
電源に接続される三相の主母線を収納する主母線室と、前記主母線室の垂直方向下側に設けられ負荷に接続されるケーブルを収納するケーブル室と、前記主母線と前記ケーブルに電気的に接続され前記電源から前記負荷への電路を開閉する遮断器を収納する遮断器室とを備えた筐体を有するスイッチギヤであって、
前記筐体は、前記主母線室と前記遮断器室との間に位置しほぼ垂直をなす第１の壁体と、前記主母線室の内部空間を介して前記第１の壁体に対向し、前記主母線室の一部分を構成する第２の壁体と、前記主母線室と前記ケーブル室との間に位置して前記主母線室の一部分を構成し、前記第２の壁体側から前記第１の壁体側へ下方に傾斜して延びる傾斜部を有する第３の壁体とを備え、
前記三相の主母線は、夫々平行で且つ水平方向に延伸して配置された第１の主母線と第２の主母線と第３の主母線とからなり、
前記第１の主母線は、前記第１の壁体に固定され、
前記第２の主母線は、前記主母線室の内部空間を介して前記第１の主母線に少なくとも一部分が水平方向に重なるように前記第１の主母線に対向して配置されると共に、前記第２の壁体に固定され、
前記第３の主母線は、前記第２の主母線の下方に位置して前記第２に壁体に固定され、
前記遮断器室は、前記主母線室と前記ケーブル室とに対して前記筐体の水平方向前面側に配置され、
前記第１の壁体は、前記第１の壁体を貫通して前記遮断器室と前記主母線室とに跨って配置された電源側ブッシングを固定すると共に、前記電源側ブッシングに対して下方に位置し前記第１の壁体を貫通して前記遮断器室と前記ケーブル室とに跨って配置された負荷側ブッシングを固定し、
前記電源側ブッシングは、一端が前記主母線に対して下方に位置して前記主母線室内に突出する電源側固定端子を備え、
前記負荷側ブッシングは、一端が前記ケーブル室内に突出する負荷側固定端子を備え、
前記遮断器は、前記電源側固定端子の他端に対して接離自在に設けられた電源側端子と、前記負荷側固定端子の他端に対して接離自在に設けられた負荷側端子とを備え、
前記主母線は、前記主母線室内に配置された電源側接続導体を介して前記電源側固定端子の一端に接続され、
前記ケーブルは、前記ケーブル室内に配置された負荷側接続導体を介して前記負荷側固定端子の一端に接続され、
前記負荷側接続導体は、一端が前記負荷側固定端子に接続され前記第３の壁体の傾斜部に対してほぼ平行に延伸する傾斜延伸部と、垂直方向に延伸し且つ一端が前記傾斜延伸部の他端に接続され他端が前記ケーブルに接続された垂直延伸部とを備えている
ことを特徴とするスイッチギヤ。
【請求項２】
前記遮断器室は、前記筐体の中段部に配置され、
前記ケーブル室は、前記遮断器室に対して下方に位置する空間部を介して前記筐体の前記水平方向前面側に開口し得るように構成されている
ことを特徴とする請求項１に記載のスイッチギヤ。
【請求項３】
前記電源側接続導体は、一端が前記第１の主母線に接続された第１の電源側接続導体と、一端が前記第２の主母線に接続された第２の電源側接続導体と、１端が前記第３の主母線に接続された第３の電源側接続導体とからなり、
前記第１の電源側接続導体は、前記一端からほぼ垂直方向に垂下して他端が前記電源側固定端子の一端に接続され、
前記第２の電源側接続導体と前記第３の電源側接続導体は、夫々一端が前記第２の主母線と前記第３の主母線に接続され、前記夫々の一端から前記第１の主母線の垂直方向下側
の位置に変位し且つ前記変位した位置からほぼ垂直方向に垂下して他端が前記電源側固定端子に夫々接続されている
ことを特徴とする請求項１に記載のスイッチギヤ。
【請求項４】
前記ケーブル室に於ける反遮断器室側の内壁に固定され、前記負荷側接続導体に於ける前記垂直延伸部により貫通された計器用変流器を備えたことを特徴とする請求項１に記載のスイッチギヤ。
【請求項５】
前記遮断器は、引出型遮断器であって、前記第１の壁体側に挿入されたとき前記三相の主母線と前記ケーブルとに接続され、前記第１の壁体側から引出されたとき前記接続が解かれることを特徴とする請求項１乃至４のうち何れか１項に記載のスイッチギヤ。
【手続補正２】
【補正対象書類名】明細書
【補正対象項目名】０００６
【補正方法】変更
【補正の内容】
【０００６】
この発明によるスイッチギヤは、電源に接続される三相の主母線を収納する主母線室と、前記主母線室の垂直方向下側に設けられ負荷に接続されるケーブルを収納するケーブル室と、前記主母線と前記ケーブルに電気的に接続され前記電源から前記負荷への電路を開閉する遮断器を収納する遮断器室とを備えた筐体を有するスイッチギヤであって、前記筐体は、前記主母線室と前記遮断器室との間に位置しほぼ垂直をなす第１の壁体と、前記主母線室の内部空間を介して前記第１の壁体に対向し、前記主母線室の一部分を構成する第２の壁体と、前記主母線室と前記ケーブル室との間に位置して前記主母線室の一部分を構成し、前記第２の壁体側から前記第１の壁体側へ下方に傾斜して延びる傾斜部を有する第３の壁体とを備え、前記三相の主母線は、夫々平行で且つ水平方向に延伸して配置された第１の主母線と第２の主母線と第３の主母線とからなり、前記第１の主母線は、前記第１の壁体に固定され、前記第２の主母線は、前記主母線室の内部空間を介して前記第１の主母線に少なくとも一部分が水平方向に重なるように前記第１の主母線に対向して配置されると共に、前記第２の壁体に固定され、前記第３の主母線は、前記第２の主母線の下方に位置して前記第２に壁体に固定され、前記遮断器室は、前記主母線室と前記ケーブル室とに対して前記筐体の水平方向前面側に配置され、前記第１の壁体は、前記第１の壁体を貫通して前記遮断器室と前記主母線室とに跨って配置された電源側ブッシングを固定すると共に、前記電源側ブッシングに対して下方に位置し前記第１の壁体を貫通して前記遮断器室と前記ケーブル室とに跨って配置された負荷側ブッシングを固定し、前記電源側ブッシングは、一端が前記主母線に対して下方に位置して前記主母線室内に突出する電源側固定端子を備え、前記負荷側ブッシングは、一端が前記ケーブル室内に突出する負荷側固定端子を備え、前記遮断器は、前記電源側固定端子の他端に対して接離自在に設けられた電源側端子と、前記負荷側固定端子の他端に対して接離自在に設けられた負荷側端子とを備え、
前記主母線は、前記主母線室内に配置された電源側接続導体を介して前記電源側固定端子の一端に接続され、前記ケーブルは、前記ケーブル室内に配置された負荷側接続導体を介して前記負荷側固定端子の一端に接続され、前記負荷側接続導体は、一端が前記負荷側固定端子に接続され前記第３の壁体の傾斜部に対してほぼ平行に延伸する傾斜延伸部と、垂直方向に延伸し且つ一端が前記傾斜延伸部の他端に接続され他端が前記ケーブルに接続された垂直延伸部とを備えていることを特徴とするものである。
【国際調査報告】
2008087752.tif 000007
2008087752.tif 000008
2008087752.tif 000009
2008087752.tif 000010